(57)【要約】【課題】操作が容易で利便性に優れたラジオ受信機を得る。【解決手段】アンテナ１で受信した電波を音声信号に変換してスピーカ８に出力する回路２〜７と、ユーザの操作を入力する操作部１０と、放送局の親局と中継局の情報を記憶する記憶部１１と、電界強度検出部１２と、制御部１３とを備える。電界強度検出部１２は、リストの中の放送局の周波数情報を基に放送局の電界強度を求める。制御部１３は、放送局の情報を表示部９に表示し、電界強度検出部１２からの電界強度情報と操作部１０からのユーザの操作情報を基に放送局の情報を編集し、記憶部１１に記憶させるものである。【選択図】図１
2011135306.tif 000002
【特許請求の範囲】
【請求項１】
アンテナで受信した電波を音声信号に変換してスピーカに出力する回路と、
ユーザの操作を入力する操作部と、
放送局の親局と中継局の情報を記憶する記憶部と、
前記放送局の周波数情報を基に前記放送局の電界強度を求める電界強度検出部と、
前記放送局の情報を表示部に表示し、前記電界強度検出部からの前記電界強度情報と前記操作部からのユーザの操作情報を基に前記放送局の情報を編集し、記憶部に記憶させる制御部とを備えたラジオ受信機。
【請求項２】
前記電界強度検出部は、ユーザが視聴している視聴局の親局と中継局の電界強度を求める請求項１記載のラジオ受信機。
【請求項３】
前記制御部は、前記視聴局の親局と中継局の情報を前記表示部に表示し、この親局と中継局の情報を編集する請求項２記載のラジオ受信機。
【請求項４】
前記制御部は、前記電界強度検出部からの電界強度の高い順に前記視聴局の親局と中継局の情報を前記表示部に表示する請求項３記載のラジオ受信機。
【請求項５】
前記制御部は、前記電界強度検出部からの電界強度が所定値以上の親局と中継局を前記表示部に表示する請求項３記載のラジオ受信機。
【請求項６】
前記制御部は、前記電界強度検出部からの電界強度を基に、前記視聴局の親局と中継局の中で最も電界強度の高い局を選局する請求項２記載のラジオ受信機。
【請求項７】
前記制御部は、視聴中の局の電界強度が所定値を下回った場合、前記視聴局の親局と中継局の中から、電界強度が所定値以上の局を選局する請求項２記載のラジオ受信機。
【発明の詳細な説明】
【技術分野】
【０００１】
この発明は、移動体に搭載され、ラジオ放送を受信するラジオ受信機に関する。
【背景技術】
【０００２】
従来の受信機においては、ＧＰＳ（Ｇｌｏｂａｌ  Ｐｏｓｉｔｉｏｎｉｎｇ  Ｓｙｓｔｅｍ）が装備されていない場合、エリア選択をおこなうことで予め登録されている放送局名と周波数が呼び出されるが、呼び出される周波数は親局と呼ばれるキー局のみで中継局などのエリアの狭い周波数は登録されていなかった。中継局を登録できるようにするにはエリアを細かく設定する必要があり、エリア選択の候補が多くなると共に放送を受信できない中継局も含まれるため、操作が非常にわずらわしく、利便性に欠けるものとなっていた。そこで、従来のシンセサイザ受信機においては、それぞれの放送局の親局に対する中継局の情報を予めメモリ内に格納しておき、エリア内の親局を選択すると、これに対応する中継局の候補周波数リストを表示し、ユーザに所望の中継局を選択させている（例えば、特許文献１参照。）。
【先行技術文献】
【特許文献】
【０００３】
【特許文献１】特開平１０‐２８４９９５号公報（第４〜7頁、第４図、第７図）
【発明の概要】
【発明が解決しようとする課題】
【０００４】
従来のシンセサイザ受信機においては、例えば関東エリア等の放送局に対し、多くの中継局が表示される場合、どれが最適な中継局であるかの判別が難しく利便性に欠けた。また、新しい中継局が出来た場合などはその中継局を選択することができなかった。さらに、例えば通勤等で関東エリアと東北エリアとの間の移動のように、頻繁にエリアを越えて移動する際には、新しいエリア内の親局選択をした後、この親局に対する中継局を選択しなおさなくてはならず、操作が煩雑となり、利便性に欠けるという問題があった。
【０００５】
この発明は、上述のような問題点を解決するためになされたもので、操作が容易で利便性に優れたラジオ受信機を得るものである。
【課題を解決するための手段】
【０００６】
この発明に係るラジオ受信機は、アンテナで受信した電波を音声信号に変換してスピーカに出力する回路と、ユーザの操作を入力する操作部と、放送局の親局と中継局の情報を記憶する記憶部と、電界強度検出部と、制御部とを備える。電界強度検出部は、放送局の周波数情報を基に放送局の電界強度を求める。制御部は、放送局の情報を表示部に表示し、電界強度検出部からの電界強度情報と操作部からのユーザの操作情報を基に放送局の情報を編集し、記憶部に記憶させるものである。
【発明の効果】
【０００７】
この発明によれば、放送局の電界強度情報とユーザの操作情報を基に放送局の情報を編集するので、中継局の編集が可能になると共に、適切な中継局が選局でき、操作が容易で利便性に優れたラジオ受信機が得られる。
【図面の簡単な説明】
【０００８】
【図１】この発明の実施の形態１〜３のラジオ受信機を示すブロック図である。
【図２】この発明の実施の形態１〜３のラジオ受信機が有する親局と中継局の放送局リストである。
【図３】この発明の実施の形態１のラジオ受信機の表示例である。
【図４】この発明の実施の形態１〜３のラジオ受信機の動作を示すフローチャートである。
【図５】この発明の実施の形態１のラジオ受信機の動作を示すフローチャートである。
【図６】この発明の実施の形態１のラジオ受信機の画面表示例である。
【図７】この発明の実施の形態１のラジオ受信機の画面表示例である。
【図８】この発明の実施の形態１のラジオ受信機の画面表示例である。
【図９】この発明の実施の形態１のラジオ受信機の画面表示例である。
【図１０】この発明の実施の形態２のラジオ受信機の動作を示すフローチャートである。
【図１１】この発明の実施の形態２のラジオ受信機の画面表示例である。
【図１２】この発明の実施の形態３のラジオ受信機の動作を示すフローチャートである。
【図１３】この発明の実施の形態３のラジオ受信機の動作を示すフローチャートである。
【図１４】この発明の実施の形態３のラジオ受信機の画面表示例である。
【発明を実施するための形態】
【０００９】
実施の形態１．
図１は、この発明の実施の形態１におけるラジオ受信機を示すブロック図である。アンテナ１は、例えばＦＭ放送等の電波を受信する。ＰＬＬ（Ｐｈａｓｅ  Ｌｏｃｋｅｄ  Ｌｏｏｐ）回路２は、例えば、８０．０ＭＨｚ、８０．１ＭＨｚ、８０．２ＭＨｚ、８０．３ＭＨｚ・・・と受信すべき放送局の周波数を変えて一定値以上の電界強度をもつ放送電波をとらえるための局部発振波を生成する。混合器３は、アンテナ１からの電波の搬送波とＰＬＬ回路２からの局部発振波とを混合する。中間周波（ＩＦ）増幅器４は、混合器３からの中間周波信号を増幅する。検波器５は、ＩＦ増幅器４で中間処理が行われたＦＭ被変調波から搬送波を取り除く。音量調整（ＶＯＬ）回路６は、検波器５からの音声信号の音量を調整する。増幅器７は、ＶＯＬ回路６からの出力を増幅してスピーカ８に出力する。これらは、アンテナで受信した電波を音声信号に変換してスピーカに出力するラジオの回路を構成する。なお、アンテナ１とスピーカ８は車両等の移動体に備え付けのものを使用しても良い。
【００１０】
表示部９は、例えば液晶ディスプレイ等で構成され、受信局の名前や周波数等を表示する。操作部１０は、リモコンや表示部９上に形成されたタッチパネル等から構成され、ユーザの操作を入力する。記憶部１１は、不揮発性のメモリやＨＤＤ（Ｈａｒｄ  ＤｉｓｋＤｒｉｖｅ）から構成され、図２に示すような放送局の親局及び中継局の情報と、これらを基にした編集可能な放送局リストを記憶する。電界強度検出部１２は、ＩＦ増幅器４からの電界強度を検出する。制御部１３は、例えばマイクロコンピュータとメモリ等から構成され、アプリケーションプログラムによって動作する。制御部１３は、この装置の全体を制御すると共に、各種のデータ処理も行う。例えば、ＰＬＬ回路２を制御する信号をこの回路に出力したり、電界強度検出部１４からの電界強度を基に放送局を電界強度順に並べて表示部９に表示させたり、操作部１１からのユーザの入力に従って放送局のリストの修正や放送局を選局したり、電界強度を基に放送局を選局したりする。
【００１１】
このように構成されたラジオ受信機の動作について図３の画面表示例と、図４のフローチャートに従って説明する。通常ラジオのスイッチを入れた時は、図３（ａ）のようにプリセットされている放送局を選局できるようになっている。適宜、プリセット放送局ボタン２０を押すとその放送局に変わる。ここでは、ユーザが視聴している視聴局は、８９．９ＭＨｚのＤ−ＦＭである。なお、見えるラジオのように放送されているラジオの番組等の情報を文字情報等で表示する場合は、図３（ａ）の画面下部等に表示しても良い。
【００１２】
まず、図４のステップＳ１００のメニュー表示をおこなう。これは、図示しないメニューボタンを押したり、ディスプレイ上にタッチパネルが備えられている場合は、Ｄ−ＦＭが表示されているプリセット放送局ボタン２０を長押ししたりすることにより、図３（ｂ）に示すメニュー（ＭＥＮＵ）画面２１を呼び出す。なお、ここでは、Ｄ−ＦＭのボタンが画面の左側にあるため、メニュー画面が邪魔にならないようにを右側に表示しているが、メニュー画面の位置は見やすいように適宜変更して表示しても良い。
【００１３】
メニュー画面２１には、最適化ボタン２２とオート（Ａｕｔｏ）受信ボタン２３とリスト表示ボタン２４が表示されている。ステップＳ２００でリスト表示ボタン２４が押された場合は、図５のフローチャートに従って処理を行う。リスト表示ボタン２４が押されない場合は、ステップＳ３００へ進む。ここで最適化ボタン２２が押された場合は後述する図１０のフローチャートの処理を行う。最適化ボタン２２が押されない場合は、ステップＳ４００へ進む。ここでオート受信ボタン２３が押された場合は後述する図１２、１３のフローチャートに従って処理を行う。オート受信ボタン２２が押されない場合は、ステップＳ５００へ進む。ステップＳ５００では、メニュー表示画面の表示時間を計測し、所定時間以内の場合は、ステップＳ１００に戻りメニュー画面２１の表示とキー入力の検知をおこなう。所定時間を超えた場合はタイムアウトとなり、メニュー画面２１を消去し、図３（ａ）の通常の画面表示に戻る。
【００１４】
次に、ステップＳ２００において、リスト表示ボタン２４を押した場合の処理について図５のフローチャート及び図６〜９の画面表示例に従って説明する。まず、リスト表示ボタン２４を選択（リモコン等の上下左右キーでカーソルを動かしたり、タッチパネルで軽く触れる等）すると、図６（ａ）に示すように画面下部に簡単なメッセージ３０が表示される。次に、リスト表示ボタン２４を押す（リモコン等の決定キーを押したり、タッチパネルで強く押したり長押しする等）と、図６（ｂ）に示すように現在視聴している視聴局の親局と中継局とを含めたリストを表示する（ステップＳ２１０）。この時、左上には、プリセットされている最初の放送局名３１が表示され、右上には、現在の受信周波数３２が表示される。仮面中央部には、親局と中継局の周波数と名称が選択可能なボタン上に表示される。ここでは、親局と中継局を含め、７つの局が登録されていることを示す。なお、画面下部には操作可能なコマンド３３を表示すると操作しやすくなる。
【００１５】
ここで、受信可能局ボタン３４を押すと（ステップＳ２２０）、まず、候補周波数の中から電界強度チェックを行う（ステップＳ２２１）。具体的には、制御部１３は、ユーザが視聴している視聴局のリストの中の親局と中継局の周波数をＰＬＬ回路２に指示し、電界強度検出部１２からの電界強度のデータを受取る。次に、電界強度の高い順に候補周波数のリストを並び替える（ステップＳ２２２）。ここで、図７（ａ）に示すように、電界強度がある閾値以上の周波数の親局や中継局を表示する（ステップＳ２２３）。中継局を多く持つ放送局の場合、電界強度が弱く受信ができない中継局を表示すると表示が煩雑となり利便性が低下するが、電界強度がある閾値以上あり、放送が受信可能な中継局を表示するとユーザの利便性が向上するためである。その後、ステップＳ２７０で放送局を表示し、ステップＳ２８０で戻るボタン３５が押されたかを判断する。押された場合は、リスト表示を終了し、初期の図３（ａ）画面に戻り終了する。戻るボタン３５が押されていないときは、再度ステップＳ２２０を繰り返す。
【００１６】
ステップＳ２２０で受信可能局ボタン３４が押下されていないときは、ステップＳ２３０に進み、選局をおこなうチューン（ＴＵＮＥ）ボタン３６が押されたかを判断する。押された場合は、図７（ｂ）に示すように、受信周波数３２を変更する（ステップＳ２３１）。この時、チューンボタンの左側の「＜＜」部分を押すと周波数が減少し、右側の「＞＞」部分を押すと周波数が増加するようにしても良い。手動で周波数を変更しても良いし、自動で周波数を動かしても良い。その後、上述したように、ステップＳ２７０、ステップＳ２８０と同様の処理を行う。
【００１７】
ステップＳ２３０でチューンボタン３６が押下されていないときは、ステップＳ２４０に進み、登録ボタン３７が押されたかを判断する。押された場合は、図７（ｃ）に示すように、周波数が登録されていないとき、この受信周波数３２をリストに追加する（ステップＳ２４１）。ここでは中継局ボタン３８として（８）番目に８８．８ＭＨｚで登録された事を示す。その後、上述したように、ステップＳ２７０、ステップＳ２８０と同様の処理を行う。
【００１８】
新たな中継局が出来た場合や、エリアをまたいで移動をする場合などに同じリスト内に中継局を登録しておくとユーザの利便性が向上する。例えば、関東エリアと東北エリアを通勤等で頻繁に移動する場合は、よく使う関東エリアの放送局と、その同じ系列の東北エリアの放送局を同じリスト内に登録しておくと良い。従来は、エリアをまたいで移動するたびにエリア選択、親局選択、中継局選択を繰り返さなくてはならなかったが、本実施の形態では、同じリスト内に中継局として登録しておけば良いので、簡単に放送局を切り替える事が出来、ユーザの利便性が向上する。なお、親局しかない放送局においても、同様に系列局を中継局として登録すればよい。
【００１９】
さて、ステップＳ２４０で登録ボタン３７が押下されていないときは、ステップＳ２５０に進み、親局と中継局の候補周波数のボタンが押されたかを判断する。押された場合は、後述する削除や登録といった操作対象の候補周波数を決定する（ステップＳ２５１）。例えば、図８（ａ）に示すように、中継局ボタン３９として、（１）番の８７．１ＭＨｚの芦屋局が選択された場合、受信周波数３２を操作対象の候補周波数の８７．１ＭＨｚに変更する。その後、上述したように、ステップＳ２７０、ステップＳ２８０と同様の処理を行う。
【００２０】
ステップＳ２５０で候補周波数のボタンが押されていないときは、ステップＳ２６０に進む。ここで、操作対象の候補周波数が無い場合は、上述したように、ステップＳ２７０、ステップＳ２８０と同様の処理を行う。
【００２１】
ステップＳ２６０で操作対象の候補周波数が有る場合は、ステップＳ２６１へ進む。ここで、登録ボタン３７が押された場合は、ステップＳ２６２にてプリセット放送局の中継局を変更する。つまり、図８（ｂ）に示すように、プリセットされている放送局名３１の周波数を変更する。その結果、図８（ｃ）に示すように初期画面に戻ると、プリセット放送局ボタン２０に登録されているＤ−ＦＭの周波数が変更され、新しい中継局が選局されている。なお、プリセット放送局ボタン２０に登録する中継局は電界強度が高いほうが受信状態が良いため、ステップＳ２５０、ステップＳ２５１で操作対象の候補周波数を選ぶ時は、電界強度が高い中継局を選ぶと良い。そのため、リスト中の中継局を電界強度順に並べて表示するとユーザが分かりやすくなり、利便性が向上する。
【００２２】
ステップＳ２６１で登録ボタン３７が押されていない時は、ステップＳ２６５に進む。ここでは、削除ボタン４０が押されているとき、操作対象の候補周波数をリストから削除する（ステップＳ２６６）。図９（ａ）に示すように、予めステップＳ２５０、ステップＳ２５１で中継局ボタン４１が選択されているとき、削除ボタン４０を押すと、図９（ｂ）に示すように操作対象の放送局は削除される。なお、削除されるのは、ユーザが使うリストであり、当初から本ラジオ受信機が有するリストからは消去できないようにしておくと良い。これは、誤って削除した場合や、本ラジオ受信機を使用するエリアが変わって、一度消去した放送局を再度使用したい時など、元に戻したい時に便利である。
【００２３】
なお、中継局の消去は、電界強度が弱く受信できない局や、中継局が多く画面表示が煩雑となるため他の中継局に比べ電界強度が弱く使用頻度が低い局などに用いると良い。これにより、ユーザの利便性が向上する。
【００２４】
ステップＳ２６６の後の処理、又は、ステップＳ２６５で削除ボタン４０を押下しない場合は、上述したように、ステップＳ２７０、ステップＳ２８０と同様の処理を行う。
【００２５】
なお、ステップＳ２１０で表示されるリスト（図６（ｂ））は、電界強度順に並べると、どの中継局の電波が強く、良好に受信できるかがわかるため、ユーザの利便性が向上する。また、このリストは、周波数順でも良いし、ユーザの好みに応じて並び替えをする事が出来るようにしても良い（例えば、ボタンをクリック＆ドラッグして並び替える等）。その際、中継局の電界強度を数値で表示したり、色分けしたり、棒グラフで表示すると良い。この場合、ボタンが分かりやすくなる。
【００２６】
なお、ここでは、現在視聴している視聴局の親局と中継局の電界強度を求めて、リストの編集や選局を行っているが、視聴局の中継局が少ない場合は電界強度を検出する時間が短くなるので視聴局の番組の中断が短くなるし、チューナを２個備えている場合などは、電界強度検出時の番組の中断が無い。そのため、これらの場合は、視聴局を含め、他のプリセットされている放送局の親局と中継局の電界強度を求めてもよい。この場合は、現在の視聴局を変えて他の系列の放送局を聴く場合でも、リストの編集や選局がスムーズにできる。
【００２７】
このように構成されたラジオ受信機においては、放送局の電界強度情報とユーザの操作情報を基に放送局の情報を編集するので、中継局の編集が可能になると共に、適切な中継局が選局でき、操作が容易で利便性に優れたラジオ受信機が得られる。また、エリアをまたいで移動するときなど、煩雑な操作をしなくても良いため、ユーザの利便性が向上する。
【００２８】
実施の形態２．
実施の形態１では、ユーザが中継局を選局していたが、本実施の形態２では、中継局を最適化し、最も電界強度の高い中継局を選局するラジオ受信機について述べる。
【００２９】
装置構成と放送局リストは、図１のブロック図と図２のリストと同じである。図４のフローチャートに対し、ステップＳ３００で最適化ボタン２２を押下した後の処理が異なるため、図１０のフローチャート及び図１１の画面表示例に従って説明する。
【００３０】
まず、最適化ボタン２２を選択（リモコン等の上下左右キーでカーソルを動かしたり、タッチパネルで軽く触れる等）すると、図１１（ａ）に示すように画面下部に簡単なメッセージ５０が表示される。次に、最適化ボタン２２を押す（リモコン等の決定キーを押したり、タッチパネルで強く押したり長押しする等）と、図１０のステップＳ３１０に進む。ここでは、リストの中の候補周波数の中から電界強度チェックを行う。具体的には、制御部１３は、リストの中の視聴局の親局と中継局の周波数をＰＬＬ回路２に指示し、電界強度検出部１２からの電界強度のデータを受取る。次に、電界強度の高い順に候補周波数のリストを並び替える（ステップＳ３２０）。その後、電界強度が最も高い局を選局し（ステップＳ３３０）、図１１（ｂ）に示すように周波数変更の確認画面５１を表示する（ステップＳ３４０）。周波数変更を容認するならば、ＯＫボタン５２を押すと（ステップＳ３５０）、周波数が変更され（ステップＳ３６０）、図１１（ｃ）に示す画面となり、プリセット放送局ボタン２０上のＤ−ＦＭの周波数が変更される。周波数を変更しない場合は、ステップＳ３５０でキャンセル（ＣＡＮＣＥＬ）ボタン５３を押すと周波数は変更されない。
【００３１】
このように構成されたラジオ受信機においては、ユーザが今聞いている放送局のノイズが多くなる等、聞きにくくなったときや、コマーシャルの時など、適宜ユーザが中継局の最適化の指示を行うと、最も電界強度の高い中継局が選局される。そのため、違う局を選局する事を防止でき、同じ放送番組を聞き続けられる。また、エリアや地名を選択しなくても最適な局に変更できるので、操作が簡便となり、ユーザの利便性が向上する。
【００３２】
実施の形態３．
実施の形態２では、ユーザが適宜最適化ボタンを押すと、最適な中継局が選局されていたが、本実施の形態３では、自動で電界強度の高い中継局に切り替えるラジオ受信機について述べる。
【００３３】
装置構成と放送局リストは、図１のブロック図と図２のリストと同じである。図４のフローチャートに対し、ステップＳ４００でＡｕｔｏ受信ボタン２２を押下した後の処理が異なるため、図１２、１３のフローチャート及び図１４の画面表示例に従って説明する。
【００３４】
まず、Ａｕｔｏ受信ボタン２３を選択（リモコン等の上下左右キーでカーソルを動かしたり、タッチパネルで軽く触れる等）すると、図１４（ａ）に示すように画面下部に簡単なメッセージ６０が表示される。次に、Ａｕｔｏ受信ボタン２３を押す（リモコン等の決定キーを押したり、タッチパネルで強く押したり長押しする等）と、図１２のステップＳ４１０に進む。オート受信が設定されていない場合、ステップＳ４２０に進み、オート受信の設定をＯＮにする。また、設定済みの場合は、Ａｕｔｏ受信の設定をＯＦＦにし（ステップＳ４３０）、Ａｕｔｏ受信を取りやめる。この場合は、実施の形態１や実施の形態２で述べたようにユーザが適宜中継局を選局すると良い。
【００３５】
オート受信の処理を図１３のフローチャートに従って説明する。マイクロコンピュータ等の割り込み処理でオート受信を行うとき、まず、ステップＳ４４０で、オート受信が設定されているかをチェックする。設定されていないときは終了する。設定されている時は、現在の局の電界強度をチェックする（ステップＳ４５０）。電界強度が所定値より高い場合は、ノイズ等が少なく聞きやすいので、放送局を変更することなく終了する。
【００３６】
電界強度が所定値より低く、ノイズ等が多い場合は、リストの中の次の候補局の受信に切り替え（ステップＳ４６０）、電界強度のチェックを行う（ステップＳ４７０）。ここで、所定値以上の電界強度があれば、切り替えた局のままにして終了する。電界強度が所定値より低い場合は、リストの中に未チェックの局が有るかを判断する（ステップＳ４８０）。有る場合は、ステップＳ４６０に戻り、次の候補局を切り替え、電界強度をチェックする作業を繰り返す。未チェックの局が無い場合は、元の周波数に戻す（ステップＳ４９０）。このようにしてオート受信を行っている場合の表示例を図１４（ｂ）に示す。画面下にはオート受信中であるメッセージ６０が表示されており、プリセット放送局ボタン２０上のＤ−ＦＭの周波数は適宜変更される。
【００３７】
なお、走行中の地域によっては、オート受信により頻繁に中継局が替わる可能性が有るので、オート受信のチェックのタイミング、条件をユーザが選択できるようにしても良い。例えば、電界強度の変化率から電界強度を予想しそのタイミングでチェックしたり、一定時間間隔でチェックしたり、一定距離走行ごとにチェックしたり、コマーシャルが流れていると思われる時間（４：００、４：３０、５：００といった定時の少し前）にチェックしてもよい。また、リスト中の中継局には、緯度・経度情報を有していて、この値から中継局間の距離を求め、現在聞いている中継局に対し、距離が近い順に中継局をサーチしてもよい。今聞いている中継局に対し、距離が近い中継局の方が電界強度が高いと考えられるため、中継局の切り替えの時間を短縮する事が出来る。
【００３８】
また、チューナを２個備えておき、メインチューナで現在の中継局を聴きながら、サブチューナでリスト中の中継局の電界強度をチェックすれば、放送局の切り替えをスムーズに行う事が出来、切り替え時の違和感をなくする事が出来る。
【００３９】
このように構成されたラジオ受信機においては、自動で中継局を切り替えるため、ユーザの操作の手間を省く事が出来、ユーザの利便性が更に向上する。この時、オート受信のタイミングを設定できるようにしたり、放送局間の距離情報を計算するようにしたりすれば、放送局切り替え時の違和感を減少させる事が出来る。さらにダブルチューナとすれば、放送局の切り替え時の違和感をなくする事も出来る。
【符号の説明】
【００４０】
１  アンテナ
２  ＰＬＬ回路
３  混合器
４  ＩＦ増幅器
５  検波器
６  ＶＯＬ回路
７  増幅器
８  スピーカ
９  表示部
１０  操作部
１１  記憶部
１２  電界強度検出部
１３  制御部
２０  プリセット放送局ボタン
２１  メニュー画面
２２  最適化ボタン
２３  オート（Ａｕｔｏ）受信ボタン
２４  リスト表示ボタン
３０  メッセージ
３１  放送局名
３２  受信周波数
３３  コマンド
３４  受信可能局ボタン
３５  戻るボタン
３６  チューン（ＴＵＮＥ）ボタン
３７  登録ボタン
３８、３９  中継局ボタン
４０  削除ボタン
４１  中継局ボタン
５０  メッセージ
５１  確認画面
５２  ＯＫボタン
５３  キャンセル（ＣＡＮＣＥＬ）ボタン
６０  メッセージ
【図１】
2011135306.tif 000003
【図２】
2011135306.tif 000004
【図３】
2011135306.tif 000005
【図４】
2011135306.tif 000006
【図５】
2011135306.tif 000007
【図６】
2011135306.tif 000008
【図７】
2011135306.tif 000009
【図８】
2011135306.tif 000010
【図９】
2011135306.tif 000011
【図１０】
2011135306.tif 000012
【図１１】
2011135306.tif 000013
【図１２】
2011135306.tif 000014
【図１３】
2011135306.tif 000015
【図１４】
2011135306.tif 000016